(57)【特許請求の範囲】
【請求項１】
楽器の操作により生じた振動を検知する振動センサを内蔵する調律器本体を面ファスナーで前記楽器の一部に固定する調律器の取り付け装置であって、
前記調律器本体を固定するための取り付けベース部と、
前記調律器本体の下面に設けられ、前記取り付けベース部に係止されて嵌装される構造体とを備え、
前記取り付けベース部は、前記面ファスナーで前記楽器の一部に固定されることを特徴とする調律器の取り付け装置。
【請求項２】
前記構造体及び前記取り付けベース部の一方は、突起と、前記突起上に設けられ、前記突起の幅より幅が広い部分とを有し、前記構造体及び前記取り付けベース部の他方は、前記突起及び前記幅が広い部分に対応する開口部と、前記幅が広い部分を覆い、前記幅が広い部分を係止する部分とを有し、
前記構造体が前記取り付けベース部に装着されることを特徴とする請求項１に記載の調律器の取り付け装置。
【請求項３】
前記取り付けベース部は、電源部及び電源供給用接点を有し、
前記構造体は、前記電源供給用接点に対応する電気的接点を有することを特徴とする請求項１又は２に記載の調律器の取り付け装置。
【請求項４】
前記取り付けベース部は、伸縮性を有する素材を介して、前記面ファスナーで前記楽器の一部に固定されることを特徴とする請求項１から３のいずれか１項に記載の調律器の取り付け装置。
【発明の詳細な説明】
【技術分野】
【０００１】
本発明は、楽器に調律器を取り付ける、調律器の取り付け装置に関する。
【背景技術】
【０００２】
楽器に直接取り付けて楽器から発生した音の調律状態を表示部に表示をする従来の調律器の取り付け手段は、主に洗濯バサミのような形状をしたクリップ式が多く採用されていた（例えば、特許文献１参照）。
このタイプの調律器は主な入力装置として振動センサやマイクロフォンを本体内に備えている。
【０００３】
一般的なクリップ式の調律器はクリップ部分と本体部分との結合部に関節のような構造を有している場合が多い。
これは、クリップを楽器に取り付けた時に表示部をユーザの見やすい方向に向ける必要があるからである。このようなクリップ式調律器は２軸以上の関節機構を有していることが多い。
【特許文献１】特開２００３−２５５９３２号公報
【発明の開示】
【発明が解決しようとする課題】
【０００４】
クリップ式の調律器では、図２５に示すように調律器本体に連結されているクリップ１００の把持力により楽器の一部６００に取り付けるようになっている。
このクリップ１００は、先端部内側に把持部１０３、１０４を有する１対のアーム１０１、１０２と、１対のアーム１０１、１０２を、１対のアーム１０１、１０２の先端部が閉じる方向に付勢するばね等の弾性部材を含んで構成される開閉部１０５とを有している。
【０００５】
クリップ１００の開閉部１０５を構成する図示していない弾性部材による付勢力により楽器の一部（例えば、ギターのヘッド部分）６００をアーム１０１、１０２の先端部で挟むので、クリップ１００のアーム１０１、１０２の先端部を開いた状態で楽器の一部６００をクリップの奥に位置する硬質の構造物である開閉部１０５に接触する位置まで挿入すると、楽器を傷つける虞が有るという問題が有った。
【０００６】
クリップ１００の１対のアーム１０１、１０２の先端部内側に設けられている把持部１０３、１０４は調律器が取り付けられる楽器に傷がつきにくいようにゴム等の柔らかい素材で形成されている場合が多い。
上記把持部１０３、１０４の素材として例えば、ゴムを使用する場合には、ゴムの種類によっては、移行をしてしまうものもあり、高価な楽器に移行による汚れを付けてしまうことがあるという問題が有った。
【０００７】
また、クリップ式の調律器では、クリップの開閉部１０５の可動範囲を超える大きな物への取り付けができない。図２６に示すように、特に、低音楽器のように管が太い楽器における太い管体部分６０１には取り付けが困難となる場合もあるという問題が有った。
【０００８】
一般的なクリップ式調律器の多くは２軸以上の関節機構を有し、且つ楽器の操作により生じ楽器から伝搬する振動を検知する振動センサを内蔵している。図２７、図２８は、調律器本体７００が関節機構を含む結合部７０２を介してクリップ１００に結合されるように構成された調律器の構成を模式的に示している。
また、図２８は、楽器から発生した振動がクリップ１００を介して調律器本体７００に内蔵されている振動センサ７０１に振動が伝播される様子を示している。
図２７、図２８において、クリップ１００により楽器の一部（例えば、ギターのヘッド部分）６００に調律器本体７００が固定されている。
【０００９】
この状態で楽器を操作すると、楽器から生じた振動２５０は、図２８に示すように、調律器本体７００がクリップ１００により固定された楽器の一部６００→クリップ１００→結合部７０２（関節機構）→調律器本体７００内の振動センサ７０１の伝播経路をたどる。この場合に、振動２５０の伝播経路中にゴムやヒンジ、関節機構などが存在し、この関節機構部分で楽器から発生する振動２５０が減衰し、調律器の感度として、十分な感度を得るのが難しい場合がある。特に弦楽器のように演奏により発生した振動の減衰が速い楽器については、十分な感度を得られないことが製品の調律性能の優劣を決定づけることが有る。
【００１０】
クリップ式の調律器の感度を向上させるには、楽器から生ずる振動を検知する振動センサを調律器本体に内蔵するより、調律器使用時に楽器と近接する位置関係となるクリップ側に設けることが重要となる。それは、振動２５０の伝播経路の距離が長くなるほど振動２５０の減衰が大きくなるからである。
クリップ式の調律器において、振動センサをクリップ側に設ける場合には、クリップ側に設けた振動センサと調律器本体に内蔵された電子回路とを電気的に接続する必要があるが、上述したように関節機構がクリップと調律器本体との間に介在し、自在に可動する関節機構は電気的接続を得るための障害となる。
【００１１】
現在、一般向けに販売されているクリップ式調律器でクリップ側に振動センサが設けられている商品は、クリップと調律器本体との接続部分が非常に複雑な構造となっており、またクリップと調律器本体との接続部分の構造が複雑であるが故に、クリップ側に振動センサが設けられているクリップ式調律器の故障も多く、ユーザからのクレームも多く、かつ構造上、コスト高となっているという問題が有った。
【００１２】
本発明は、このような事情に鑑みてなされたものであり、取り付けた楽器に傷をつけること無く、かつ楽器から発生した振動に対する感度が良好な調律器の取り付け装置を提供することを目的とする。
【課題を解決するための手段】
【００１３】
上記目的を達成するために本発明の調律器の取り付け装置は、楽器に装着する調律器の取り付け装置であって、楽器の一部に面ファスナーで調律器本体を固定したことを特徴とする。
【００１４】
上記構成の本発明の調律器の取り付け装置では、楽器の一部に面ファスナーで調律器本体を固定する。
このように、本発明では面ファスナーを取り付け装置として使用するので、従来装置のようにクリップに比して素材が柔らかいため、取り付ける楽器に対して調律器を固定する際に、楽器を傷つけたり、ゴムのように移行する可能性が低く、ユーザが安心して使用することができる。
【００１５】
また、本発明の調律器の取り付け装置のように、調律器を楽器に面ファスナーで固定して取り付ける場合には、面ファスナーの長さを調整することにより、楽器の大きさ如何にかかわらず、取り付けが可能であるので、対応できる楽器の大きさの自由度が高いという効果も有る。
さらに、調律器本体を面ファスナー自体に取り付けることができるので、クリップ式の従来装置に比して調律器本体を楽器に最も近い位置に取り付けることができ、クリップ式の従来装置のように関節機構を介在させることが無いので、振動センサまでの振動伝播距離が短くなり、楽器の操作により生ずる振動の減衰が少なく、調律器の感度の向上が図れる。
【００１６】
また、本発明の調律器の取り付け装置は、楽器の操作により生じた振動を検知する振動センサが前記調律器本体に内蔵されていることを特徴とする。
上記構成の、本発明の調律器の取り付け装置では、振動センサは、調律器本体に内蔵されているが、調律器本体を面ファスナー自体に取り付けることができるので、クリップ式の従来装置に比して調律器本体を楽器に最も近い位置に取り付けることができ、クリップ式の従来装置のように関節機構を介在させることが無いので、振動センサまでの振動伝播距離が短くなり、楽器の操作により生ずる振動の減衰が少なく、調律器の感度の向上が図れる。
【００１７】
また、本発明の調律器の取り付け装置は、楽器の操作により生じた振動を検知する振動センサが前記面ファスナーに設けられていることを特徴とする。
【００１８】
上記構成の本発明の調律器の取り付け装置では、振動センサが前記面ファスナーに設けられている。
これにより、楽器に直接的に振動センサを接触させることができるので、楽器の操作により生ずる振動をより効果的に検知することができ、調律器の感度の向上が図れる。
さらに、面ファスナーに複数個の振動センサを設けることにより、調律器の高感度化を図ることが可能となる。
【００１９】
また、本発明の調律器の取り付け装置は、楽器に装着する調律器の取り付け装置であって、楽器の操作により生じた振動を検知する振動センサを内蔵する調律器本体を楽器の一部の上面に緩衝材を介して載置した状態で面ファスナーで前記楽器及び調律器本体を一体的に包囲して束縛するように前記楽器に前記調律器本体を固定したことを特徴とする。
【００２０】
上記構成の本発明の調律器の取り付け装置では、振動センサを内蔵する調律器本体を楽器の一部の上面に緩衝材を介して載置した状態で、面ファスナーで楽器及び調律器本体を一体的に包囲して束縛するように楽器に調律器本体を固定する。
これにより、楽器に調律器本体を固定した際に楽器と調律器本体との間に介在させた緩衝材（例えば、シリコンラバー）により楽器に傷がつくのを防止することができる。
緩衝材の存在により楽器に生じた振動は多少、減衰するが、十分な感度を得ることができる。
【００２１】
また、本発明の調律器の取り付け装置は、楽器に装着する調律器の取り付け装置であって、楽器の一部の表面にベースとなる第１の面ファスナーを常設するように貼着しておき、かつ楽器の操作により生じた振動を検知する振動センサを内蔵する調律器本体の下面に第２の面ファスナーを固設するとともに、前記第１、第２の面ファスナーを貼り合わせることにより前記楽器の一部に前記調律器本体を固定したことを特徴とする。
【００２２】
上記構成の本発明の調律器の取り付け装置では、楽器の一部の表面にベースとなる第１の面ファスナーを常設するように設置しておき、かつ振動センサを内蔵する調律器本体の下面に第２の面ファスナーを固設する。前記第１、第２の面ファスナーを貼り合わせることにより前記楽器の一部に前記調律器本体を固定する。
このように、楽器と調律器本体の両方に面ファスナーを設けることにより、必要に応じて調律器本体を着脱することができる。
【００２３】
また、本発明の調律器の取り付け装置は、楽器の一部に調律器本体を固定するための取り付けベース部を面ファスナーで常時、固定し、かつ楽器の操作により生じた振動を検知する振動センサを内蔵する調律器本体の下面に前記取り付けベース部に嵌装される構造体を設け、前記取り付けベース部に前記構造体を装着することにより、前記楽器の一部に前記調律器本体を固定したことを特徴とする。
【００２４】
上記構成の本発明の調律器の取り付け装置では、楽器の一部に調律器本体を固定するための取り付けベース部を面ファスナーで常時、固定し、かつ振動センサを内蔵する調律器本体の下面には前記取り付けベース部に嵌装される構造体を設ける。前記取り付けベース部に前記構造体を装着することにより、前記楽器の一部に前記調律器本体を固定する。
これにより、調律器本体を楽器に確実に固定することができ、しかも調律器本体を楽器に容易に着脱することができる。
【００２５】
また、本発明の調律器の取り付け装置は、楽器の一部に調律器本体を固定するための取り付けベース部を面ファスナーで常時、固定し、かつ楽器の操作により生じた振動を検知する振動センサを内蔵する調律器本体の下面に前記取り付けベース部に嵌装される構造体を設けるとともに、前記取り付けベース部は電源部及電源供給用接点を有し、かつ前記構造体は、前記取り付けベース部に設けられた電源供給用接点に対応する電気的接点を有し、前記取り付けベース部に前記構造体を装着することにより、前記楽器の一部に前記調律器本体を固定し、前記取り付けベース部に内蔵された前記電源部より電源供給用接点及び前記構造体に設けられた電気的接点を介して調律器本体内の電子回路に電源供給することを特徴とする。
【００２６】
上記構成の本発明の調律器の取り付け装置では、楽器の一部に調律器本体を固定するための取り付けベース部を面ファスナーで常時、固定し、かつ楽器の操作により生じた振動を検知する振動センサを内蔵する調律器本体の下面に前記取り付けベース部に嵌装される構造体を設ける。
前記取り付けベース部は電源部及電源供給用接点を有し、かつ前記構造体は、前記取り付けベース部に設けられた電源供給用接点に対応する電気的接点を有し、前記取り付けベース部に前記構造体を装着することにより、前記楽器の一部に前記調律器本体を固定し、前記取り付けベース部に内蔵された前記電源部より電源供給用接点及び前記構造体に設けられた電気的接点を介して調律器本体内の電子回路に電源供給する。
【００２７】
このように、調律器本体に必要な電源部（例えば、電池）を楽器本体に固定される取り付けベース部側に設けるようにしたので、調律器本体の小型化が図れる。
【００２８】
また、本発明の調律器の取り付け装置は、楽器の一部に調律器本体を固定するための取り付けベース部を面ファスナーで常時、固定し、かつ調律器本体の下面に前記取り付けベース部に嵌装される構造体を設けるとともに、前記取り付けベース部は楽器の操作により生じた振動を検知する振動センサ及び該振動センサ信号用接点を有し、かつ前記構造体は、前記取り付けベース部に設けられた前記振動センサ信号用接点に対応する電気的接点を有し、前記取り付けベース部に前記構造体を装着することにより、前記楽器の一部に前記調律器本体を固定し、前記取り付けベース部に内蔵された前記振動センサを前記振動センサ用接点及び前記構造体に設けられた電気的接点を介して調律器本体内の電子回路に接続することを特徴とする。
【００２９】
上記構成の本発明の調律器の取り付け装置では、楽器の一部に調律器本体を固定するための取り付けベース部を面ファスナーで常時、固定し、かつ楽調律器本体の下面に前記取り付けベース部に嵌装される構造体を設ける。
前記取り付けベース部は振動センサ及び該振動センサ信号用接点を有し、かつ前記構造体は、前記取り付けベース部に設けられた前記振動センサ信号用接点に対応する電気的接点を有している。
前記取り付けベース部に前記構造体を装着することにより、前記楽器の一部に前記調律器本体を固定し、前記取り付けベース部に内蔵された前記振動センサを前記振動センサ用接点及び前記構造体に設けられた電気的接点を介して調律器本体内の電子回路に接続する。
このように、振動センサを楽器本体に固定される取り付けベース部側に設け、楽器に調律器本体を固定した際に、振動センサを調律器本体内の電子回路に電気的に接続するようにしたので、調律器本体の小型化が図れる。
【００３０】
また、本発明の調律器の取り付け装置は、楽器の一部に調律器本体を固定するための取り付けベース部を面ファスナーで常時、固定し、かつ調律器本体の下面に前記取り付けベース部に嵌装される構造体を設けるとともに、前記取り付けベース部は電源部、楽器の操作により生じた振動を検知する振動センサ並びに、電源供給用接点及び振動センサ信号用接点を有し、かつ前記構造体は、前記電源供給用接点に対応する第１の電気的接点及び前記振動センサ信号用接点に対応する第２の電気的接点を有し、前記取り付けベース部に前記構造体を装着することにより、前記楽器の一部に前記調律器本体を固定し、かつ前記取り付けベース部に内蔵された前記電源部より電源供給用接点及び前記構造体に設けられた前記第１の電気的接点を介して調律器本体内の電子回路に電源供給し、かつ前記振動センサを前記振動センサ信号用接点及び前記第２の電気的接点を介して前記調律器本体内の電子回路に接続することを特徴とする。
【００３１】
上記構成の本発明の調律器の取り付け装置では、楽器の一部に調律器本体を固定するための取り付けベース部を面ファスナーで常時、固定し、かつ調律器本体の下面に前記取り付けベース部に嵌装される構造体を設ける。
また、前記取り付けベース部は電源部、振動センサ並びに、電源供給用接点及び振動センサ信号用接点を有し、かつ前記構造体は、前記電源供給用接点に対応する第１の電気的接点及び前記振動センサ信号用接点に対応する第２の電気的接点を有し、前記取り付けベース部に前記構造体を装着することにより、前記楽器の一部に前記調律器本体を固定し、かつ前記取り付けベース部に内蔵された前記電源部より電源供給用接点及び前記構造体に設けられた前記第１の電気的接点を介して調律器本体内の電子回路に電源供給し、かつ前記振動センサを前記振動センサ信号用接点及び前記第２の電気的接点を介して前記調律器本体内の電子回路に接続する。
このように、調律器本体に必要な電源部（例えば、電池）及び振動センサを楽器本体に固定される取り付けベース部側に設け、楽器に調律器本体を固定した際に、振動センサを調律器本体内の電子回路に電気的に接続し、かつ電源部より前記電子回路に電源を供給するようにしたので、調律器本体の小型化が一層、図れる。
【００３２】
また、本発明の調律器の取り付け装置は、楽器の一部に調律器本体を固定するための取り付けベース部を、伸縮性を有する素材を介して面ファスナーで常時、固定し、かつ楽調律器本体の下面に前記取り付けベース部に嵌装される構造体を設け、前記取り付けベース部に前記構造体を装着することにより、前記楽器の一部に前記調律器本体を固定したことを特徴とする。
【００３３】
上記構成の本発明の調律器の取り付け装置では、楽器の一部に調律器本体を固定するための取り付けベース部を、伸縮性を有する素材を介して面ファスナーで常時、固定し、かつ楽調律器本体の下面に前記取り付けベース部に嵌装される構造体を設け、前記取り付けベース部に前記構造体を装着することにより、前記楽器の一部に前記調律器本体を固定する。上記取り付けベース部を用いずに、面ファスナーのみによっても伸縮性を有する素材を利用して前記楽器の一部に前記調律器本体を取り付けることが可能である。
このように、取り付けベース部を、伸縮性を有する素材を介して面ファスナーで常時、楽器に固定し、かつ楽調律器本体の下面に設けた構造体を前記取り付けベース部に装着することにより、調律器本体と楽器とをより強力に密着させ、脱落を防止することができる。
【００３４】
また、本発明の調律器の取り付け装置は、楽器に装着する調律器の取り付け装置であって、前記調律器の各機能部を独立した複数のアセンブリとして構成し、前記複数のアセンブリ間を、導電性を有する面ファスナーで電気的に接続をとった上で連結し、該連結した状態で楽器に前記面ファスナーで固定することを特徴とする。
【００３５】
上記構成の本発明の調律器の取り付け装置では、調律器の各機能部を独立した複数のアセンブリとして構成し、これらの複数のアセンブリ間を、導電性を有する面ファスナーで電気的に接続をとった上で連結し、該連結した状態で楽器に面ファスナーで固定する。
このように、調律器の各機能部を独立した複数のアセンブリとして構成し、これらの複数のアセンブリ間を、導電性を有する面ファスナーで電気的に接続をとった上で連結するようにして、楽器に面ファスナーで固定するようにしたので、調律器の各機能部を個別に交換することができ、ユーザのニーズに応じたシステムの構築を容易に行うことができる。
【００３６】
また、本発明の調律器の取り付け装置は、楽器に装着する調律器の取り付け装置であって、前記調律器は、無線通信機能を有する表示手段を外部に有し、前記調律器を構成する表示手段を除く各機能部を独立した複数のアセンブリとして構成し、前記複数のアセンブリは、無線通信機能を有する通信手段を含み、かつ前記複数のアセンブリ間を、導電性を有する面ファスナーで電気的に接続をとった上で連結し、該連結した状態で楽器に前記面ファスナーで固定するとともに、前記通信手段は、無線通信により前記外部の表示手段に楽器の調律状態を示すデータを送信することを特徴とする。
【００３７】
上記構成の調律器の取り付け装置では、調律器は、無線通信機能を有する表示手段を外部に有している。
調律器を構成する表示手段を除く各機能部を独立した複数のアセンブリとして構成し、これらの複数のアセンブリは、無線通信機能を有する通信手段を含み、かつ前記複数のアセンブリ間を、導電性を有する面ファスナーで電気的に接続をとった上で連結し、該連結した状態で楽器に前記面ファスナーで固定するとともに、前記通信手段は、無線通信により前記外部の表示手段に楽器の調律状態を示すデータを送信する。この結果、上記表示手段は、通信手段より楽器の調律状態を示すデータを受信し、楽器の調律状態を表示する。
これにより、外部に置かれた無線通信機能を有する表示手段に楽器の調律状態を表示することができる。
【発明の効果】
【００３８】
以上説明したように、本発明によれば、面ファスナーを取り付け装置として使用するので、従来装置のようにクリップに比して素材が柔らかいため、取り付ける楽器に対して調律器を固定する際に、楽器に傷をつけたり、ゴムのように移行する可能性が低く、ユーザが安心して使用することができる。
【００３９】
また、本発明の調律器の取り付け装置のように、調律器を楽器に面ファスナーで固定して取り付ける場合には、面ファスナーの長さを調整することにより、楽器の大きさ如何にかかわらず、取り付けが可能であるので、対応できる楽器の大きさの自由度が高いという効果も有る。
さらに、調律器本体を面ファスナー自体に取り付けることができるので、クリップ式の従来装置に比して調律器本体を楽器に最も近い位置に取り付けることができ、クリップ式の従来装置のように関節機構を介在させることが無いので、振動センサまでの振動伝播距離が短くなり、楽器の操作により生ずる振動の減衰が少なく、調律器の感度の向上が図れる。
【発明を実施するための最良の形態】
【００４０】
以下、本発明の実施形態を、図面を参照して説明する。本発明の実施形態に係る調律器の取り付け装置は、基本的には、従来のクリップ式の調律器の取り付け装置のクリップの代わりに面ファスナーを用いるものである。
図１は楽器の一部に面ファスナーを、巻き締めして固定した状態を示しており、図１（Ａ）は、例えば、ギターのヘッド部分１に面ファスナー２を巻き締めして固定した状態を、図１（Ｂ）は、例えば、低音楽器の太い管体部分１Ａに面ファスナー２を巻き締めして固定した状態を、それぞれ示している。
【００４１】
[第１実施形態]
図２に、本発明の第１実施形態に係る調律器の取り付け装置の構成を示す。本実施形態では、楽器の一部（例えば、ギターのヘッド部分）に調律器本体を面ファスナーで固定した構成例を示している。図２（Ａ）の構成例は、例えば、ギターのヘッド部分１に調律器本体１０を面ファスナー２で固定した状態を示している。この構成例では、例えば、調律器本体１０の底部に面ファスナーを貼着しておき、この面ファスナーと異なる種類の面ファスナーでギターのヘッド部分をまき締めた状態の楽器に調律器本体１０を載置することによりギターのヘッド部分１に調律器本体１０を固定することができる。
また、調律器本体１０にベルトを挿通させるための部材を取り付けておき、そこにギターのヘッド部分１をまき締めする面ファスナー２を通して、ギターのヘッド部分１に調律器本体１０を押し付けるように面ファスナー２をまき締めすることで、ギターのヘッド部分１に調律器本体１０を固定するようにしてもよい。
【００４２】
ここで面ファスナーの種類とは、一方がフック状に起毛された面ファスナーであり、他方は、ループ状に密集して起毛された面ファスナーである。周知のようにこれらを押し付けると両者は貼り付き、また、剥がすことができる。
図２（Ａ）に示す構成例では、楽器の操作により発生する振動５０を検知する振動センサ２０は調律器本体１０に内蔵されている。
図２（Ａ）の構成例では、面ファスナーを取り付け装置として使用するので、従来装置のようにクリップに比して素材が柔らかいため、取り付ける楽器に対して調律器を固定する際に、楽器に傷をつけたり、ゴムのように移行する可能性が低く、ユーザが安心して使用することができる。
【００４３】
また、調律器本体を楽器に面ファスナーで固定して取り付けるので、面ファスナーの長さを調整することにより、楽器の大きさ如何にかかわらず、取り付けが可能であるので、対応できる楽器の大きさの自由度が高いという効果も有る。
さらに、調律器本体を面ファスナー自体に取り付けることができるので、クリップ式の従来装置に比して調律器本体を楽器に最も近い位置に取り付けることができ、クリップ式の従来装置のように関節機構を介在させることが無いので、振動センサまでの振動伝播距離が短くなり、楽器の操作により生ずる振動の減衰が少なく、調律器の感度の向上が図れる。
【００４４】
図２（Ａ）に示す調律器の取り付け装置の構成例では、振動センサは調律器本体に内蔵されているが、調律器本体を面ファスナー自体に取り付けることができるので、クリップ式の従来装置に比して調律器本体を楽器に最も近い位置に取り付けることができ、クリップ式の従来装置のように関節機構を介在させることが無いので、振動センサまでの振動伝播距離が短くなり、楽器の操作により生ずる振動の減衰が少なく、調律器の感度の向上が図れる
【００４５】
図２（Ｂ）は、楽器の一部に面ファスナーで調律器本体を固定する調律器の取り付け装置のうち、振動センサを面ファスナー２に設けた構成例を示している。同図に示すように、例えば、ギターのヘッド部分１に調律器本体１０を、振動センサ２１，２２を有する面ファスナー２で固定した状態を示している。この例では、例えば、調律器本体１０の底部に面ファスナー２を貼着しておき、この面ファスナーと異なる種類の面ファスナーでギターのヘッド部分をまき締めた状態の楽器に調律器本体１０を載置することによりギターのヘッド部分１に調律器本体１０を固定することができる。
【００４６】
これにより、楽器に直接的に振動センサを接触させることができるので、楽器の操作により生ずる振動をより効果的に検知することができ、調律器の感度の向上が図れる。
さらに、面ファスナー２に複数個の振動センサ２１、２２を設けることにより、調律器の高感度化を図ることが可能となる。なお、振動センサの設置個数は２個に限らず、それ以上であってもよい。
【００４７】
[第２実施形態]
次に本発明の第２実施形態に係る調律器の取り付け装置の構成を図３に示す。同図において、本発明の第２実施形態に係る調律器の取り付け装置は、楽器の操作により生じた振動を検知する振動センサ２０を内蔵する調律器本体１０を楽器の一部１の上面に緩衝材３０を介して載置した状態で、面ファスナー２で楽器の一部１及び調律器本体１０を、ベルトループ２３，２４を介して一体的に包囲して束縛することにより楽器に調律器本体１０を固定する。
緩衝材は、例えば、シリコンラバーが使用されるが、これに限らず、種々の素材が使用可能である。
【００４８】
本発明の第２実施形態に係る調律器の取り付け装置によれば、振動センサを内蔵する調律器本体を楽器の一部の上面に緩衝材を介して載置した状態で、面ファスナーで楽器及び調律器本体を一体的に包囲して束縛するように楽器に調律器本体を固定するようにしたので、楽器に調律器本体を固定した際に楽器と調律器本体との間に介在させた緩衝材により楽器に傷がつくのを防止することができる。
なお、緩衝材の存在により楽器に生じた振動が振動センサにより検知される際には多少、減衰するが調律器では十分な感度を得ることができる。
【００４９】
[第３実施形態]
次に本発明の第３実施形態に係る調律器の取り付け装置の構成を図４に示す。
本発明の第３実施形態に係る調律器の取り付け装置は、楽器の一部１の表面にベースとなる第１の面ファスナー２Ａを常設するように設置しておき、かつ振動センサ２０を内蔵する調律器本体１０の下面に第２の面ファスナー２Ｂを固設する。
【００５０】
第１の面ファスナー２Ａと、第２の面ファスナー２Ｂを貼り合わせることにより楽器の一部１に調律器本体１０を固定する。
このように、本発明の第３実施形態に係る調律器の取り付け装置によれば、楽器と調律器本体の両方に面ファスナーを設けることにより、必要に応じて調律器本体を着脱することができる。
【００５１】
また、図５に示すように、調律器本体１０の背面１０Ａに収納用の第３の面ファスナー２Ｃを常設するように貼着しておくようにしてもよい。すなわち、調律時には図６に示すように楽器側に設けられた第１の面ファスナー２Ａと、調律器側に設けられた第２の面ファスナー２Ｂを貼り合わせることにより楽器の一部１に調律器本体１０を固定する。
そして、調律器本体１０を楽器の一部１に収納する場合には、図７に示すように、楽器側に設けられた第１の面ファスナー２Ａに調律器本体１０の背面１０Ａに貼着された第３の面ファスナー２Ｃを貼り合わせることにより楽器の一部１に調律器本体１０を収納するようにしてもよい。
【００５２】
このように、未使用時に調律器本体の楽器に対する取り付ける面を調律時とは変更できるようにすることにより、調律器本体を楽器にコンパクトに収納することが可能となる。
また、図８に示すように、楽器の一部１に第１の面ファスナー２Ａに加えて、該第１の面ファスナ２Ａが設けられた面とは異なる面に第４の面ファスナー２Ｄを常設するように貼着しておき、楽器側に設けられた第４の面ファスナー２Ｄに調律器本体１０の背面１０Ａに貼着された第３の面ファスナー２Ｃを貼り合わせることにより楽器の一部１に調律器本体１０を収納するようにしてもよい。
【００５３】
[第４実施形態]
次に本発明の第４実施形態に係る調律器の取り付け装置の構成を図９に示す。同図において、本発明の第４実施形態に係る調律器の取り付け装置は、楽器の一部１に振動センサ２０を内蔵する調律器本体１０を固定するための取り付けベース部４０を面ファスナー２で常時、固定する。そして調律器本体１０の下面には取り付けベース部４０に嵌装される構造体４１を設ける。
取り付けベース部４０に調律器本体１０の下面に設けられた構造体４１を装着することにより、楽器の一部１に調律器本体１０を固定する。
【００５４】
このように、本発明の第４実施形態に係る調律器の取り付け装置によれば、楽器の一部に取り付けベース部を面ファスナーで固定し、該取り付けベース部と調律器本体１０の下面に設けた構造体を着脱可能に構成したので、調律器本体を楽器に確実に固定することができ、しかも調律器本体を楽器に容易に着脱することができる。
【００５５】
また、図１０に示すように、調律器本体１０の背面１０Ａに、取り付けベース部４０に嵌装される収納用の構造体４２を設けるようにしてもよい。すなわち、調律時には図１１に示すように、取り付けベース部４０に調律器本体１０の下面に設けられた構造体４１を装着することにより、楽器の一部１に調律器本体１０を固定する。
【００５６】
そして、調律器本体１０を楽器の一部１に収納する場合には、図１２に示すように、楽器側に設けられた取り付けベース部４０に調律器本体１０の背面１０Ａに設けられた構造体４２を装着することにより、楽器の一部１に調律器本体１０を収納するようにしてもよい。
このように、未使用時に調律器本体の楽器に対する取り付ける面を調律時とは変更できるようにすることにより、調律器本体を楽器にコンパクトに収納することが可能となる。
【００５７】
[第５実施形態]
次に本発明の第５実施形態に係る調律器の取り付け装置の構成を図１３に示す。同図において、本発明の第５実施形態に係る調律器の取り付け装置は、楽器の一部１に調律器本体１０を固定するための取り付けベース部６０を面ファスナー１で常時、固定し、かつ楽器の操作により生じた振動を検知する振動センサ２０を内蔵する調律器本体１０の下面に前記取り付けベース部６０に嵌装される構造体６３を設ける。
【００５８】
取り付けベース部６０は電源部６１及電源供給用接点６２を有している。
また、構造体６３は、取り付けベース部６０に設けられた電源供給用接点６２に対応する電気的接点６４を有している。
取り付けベース部６０に構造体６３を装着することにより、楽器の一部１に調律器本体１０を固定し、取り付けベース部６０に内蔵された電源部６１より電源供給用接点６２及び構造体６３に設けられた電気的接点６４を介して調律器本体１０内の電子回路に電源供給する。
【００５９】
上記構成の本発明の調律器の取り付け装置では、調律器本体に必要な電源部（例えば、電池）を楽器に固定される取り付けベース部側に設けるようにしたので、調律器本体の小型化が図れる。
【００６０】
[第６実施形態]
次に本発明の第６実施形態に係る調律器の取り付け装置の構成を図１４に示す。
同図において、本発明の第６実施形態に係る調律器の取り付け装置では、楽器の一部１に調律器本体１０を固定するための取り付けベース部７０を面ファスナー２で常時、固定し、かつ調律器本体１０の下面に取り付けベース部７０に嵌装される構造体７２を設ける。
取り付けベース部７０は楽器の操作により生じた振動を検知する振動センサ２０及び振動センサ信号用接点７１を有している。
【００６１】
また、構造体７２は取り付けベース部７０に設けられた振動センサ信号用接点７１に対応する電気的接点７３を有している。
取り付けベース部７０に調律器本体１０の下面に設けた構造体７２を装着することにより、楽器の一部１に調律器本体１０を固定し、取り付けベース部７０に内蔵された振動センサ２０を振動センサ信号用接点７１及び構造体７２に設けられた電気的接点７３を介して調律器本体１０内の電子回路に接続する。
【００６２】
このように、振動センサを楽器本体に固定される取り付けベース部側に設け、楽器に調律器本体を固定した際に、振動センサを調律器本体内の電子回路に電気的に接続するようにしたので、調律器本体の小型化が図れる。
【００６３】
[第７実施形態]
次に本発明の第７実施形態に係る調律器の取り付け装置の構成を図１５に示す。同図において、本発明の第７実施形態に係る調律器の取り付け装置では、楽器の一部１に調律器本体１０を固定するための取り付けベース部８０を面ファスナー２で常時、固定し、かつ調律器本体１０の下面に取り付けベース部８０に嵌装される構造体８３を設ける。
【００６４】
また、取り付けベース部８０は電源部８１、楽器の操作により生じた振動を検知する振動センサ２０並びに、電源供給用接点及び振動センサ信号用接点８２を有している。
また、構造体８３は、電源供給用接点に対応する第１の電気的接点及び前記振動センサ信号用接点に対応する第２の電気的接点８４を有している。
【００６５】
取り付けベース部８０に構造体８３を装着することにより、楽器の一部１に調律器本体１０を固定し、かつ取り付けベース部８０に内蔵された電源部８１より電源供給用接点８２及び構造体８３に設けられた第１の電気的接点８４を介して調律器本体１０内の電子回路に電源供給し、かつ振動センサ２０を振動センサ信号用接点８２及び前記第２の電気的接点８４を介して調律器本体１０内の電子回路に接続する。
【００６６】
このように、調律器本体に必要な電源部（例えば、電池）及び振動センサを楽器本体に固定される取り付けベース部側に設け、楽器に調律器本体を固定した際に、振動センサを調律器本体内の電子回路に電気的に接続し、かつ電源部より前記電子回路に電源を供給するようにしたので、調律器本体の小型化が一層、図れる。
【００６７】
本発明の第７実施形態においても、図１０に示した第４実施形態と同様に、調律器本体１０の背面に取り付けベース部８０に嵌装される収納用の構造体４２を設けるようにしてもよい。すなわち、調律時には図１６に示すように、取り付けベース部８０に調律器本体１０の下面に設けられた構造体８３を装着することにより、楽器の一部１に調律器本体１０を固定する。
【００６８】
そして、調律器本体１０を楽器の一部１に収納する場合には、図１７に示すように、楽器側に設けられた取り付けベース部８０に調律器本体１０の背面１０Ａに設けられた構造体４２を装着することにより、楽器の一部１に調律器本体１０を収納するようにしてもよい。
このように、未使用時に調律器本体の楽器に対する取り付ける面を調律時とは変更できるようにすることにより、調律器本体を楽器にコンパクトに収納することが可能となる。
【００６９】
本発明の第４実施形態の変形例について図１８及び図１９を参照して説明する。この変形例は、第４実施形態に係る調律器の取り付け装置を示す図９の構成に加えて、楽器の一部１における取り付けベース部４０が設けられた面とは反対側の面に、さらに、図１８に示すように収納用の取り付けベース４３を取り付けベース部４０と共に、面ファスナー２により楽器の一部１に常時、固定するようにしたものである。
【００７０】
上記構成において、調律時には、図１８に示すように、取り付けベース部４０に調律器本体１０の下面に設けられた構造体４１を装着することにより、楽器の一部１に調律器本体１０を固定する。
また、調律器本体１０を楽器の一部１に収納する場合には、図１９に示すように、収納用の取り付けベース部４３に調律器本体１０の下面に設けられた構造体４１を装着することにより、楽器の一部１に調律器本体１０を固定する。
このように、この変形例によれば、未使用時に調律器本体の楽器に対する取り付ける面を調律時とは変更することができる。
【００７１】
[第８実施形態]
次に本発明の第８実施形態に係る調律器の取り付け装置の構成を図２０に示す。同図において、本発明の第８実施形態に係る調律器の取り付け装置は、楽器の一部１に調律器本体１０を固定するための取り付けベース部９１を、伸縮性を有する素材９０を介して面ファスナー２で常時、固定する。この取り付けベース部９１は楽器の操作により発生する振動を検知する振動センサ２０が設けられている。
【００７２】
また、調律器本体１０の下面には取り付けベース部９１に嵌装される構造体９３が設けられている。
取り付けベース部９１に構造体９３を装着することにより、楽器の一部１に調律器本体１０を固定する。
このように、取り付けベース部９１を、伸縮性を有する素材９０を介して面ファスナー２で常時、楽器に固定し、かつ調律器本体１０の下面に設けた構造体９３を取り付けベース部９１に装着することにより、調律器本体１０と楽器とをより強力に密着させることができる。
【００７３】
[第９実施形態]
次に本発明の第９実施形態に係る調律器の取り付け装置の構成を図２１に示す。
同図において、本発明の第９実施形態に係る調律器の取り付け装置は、調律器の各機能部、具体的には、例えば、表示部２００、処理部２０１及び電源部２０２を独立した複数のアセンブリとして構成する。
これらの複数のアセンブリ２００、２０１、２０２間を、導電性を有する面ファスナー２１０、２２０、２３０で電気的に接続をとった上で連結し、該連結した状態で図示してない楽器にこれらの面ファスナーで固定する。
【００７４】
アセンブリと面ファスナーとの結合部の構造の一例を図２３に示す。図２３は、図２１におけるＸ部の構造、すなわちアセンブリ２００と面ファスナー２１０との結合部の構造を示している。図２３（Ａ）はその断面図を、図２３（Ｂ）は、面ファスナー２１０の結合部における平面図を示している。これらの図において、アセンブリ２００の下面には面ファスナー３００が貼着されており、その中央部には雄型のコネクタ部３０１Ａが形成されている。コネクタ部３０１Ａの先端には導電部３０３が形成されており、該導電部３０３には配線３０２が接続され、該配線３０２は、アセンブリ２００内の電子回路に接続されている。
【００７５】
また、アセンブリ間を接続する面ファスナー２１０側には、アセンブリ２００側の面ファスナー３００に形成された雄型のコネクタ部３０１Ａが装着される雌型のコネクタ部３０１Ｂが形成されている。この雌型のコネクタ部３０１Ｂの底部には導電部２１２が形成されており、この導電部２１２には配線２１１が接続されている。配線２１１は、アセンブリ間を面ファスナー同士で接続する際に、双方の面ファスナーで電気的導通を得るように接続される。
【００７６】
アセンブリ２００側の面ファスナー３００に形成された雄型のコネクタ部３０１Ａを面ファスナー２１０の雌型のコネクタ部３０１Ｂに装着することによりアセンブリ２００と他のアセンブリとが、面ファスナー２１０の配線を介して電気的に接続される。
【００７７】
図２４に図２１におけるＹ部の構造、すなわち面ファスナー２１０と面ファスナー２２０との結合部の構造を示す。図２４（Ａ）は面ファスナー２１０の結合部における断面構造を、図２４（Ｂ）は面ファスナー２２０の結合部における断面構造を、図２４（Ｃ）は面ファスナー２２０の結合部における平面図をそれぞれ、示している。これらの図において、面ファスナー２１０の裏面には雄型のコネクタ部４００Ａが形成されており、雄型のコネクタ部４００Ａの先端には導電部２１３が形成されている。
【００７８】
また、面ファスナー２２０の表面には、雄型のコネクタ部４００Ａが装着される雌型のコネクタ部４００Ｂが形成されている。この雌型のコネクタ部４００Ｂの底部には導電部２２２が形成されており、この導電部２２２には配線２２１が接続されている。
面ファスナー２１０に形成された雄型のコネクタ部４００Ａを面ファスナー２２０の雌型のコネクタ部４００Ｂに装着することにより面ファスナー２１０と面ファスナー２２０とが電気的に接続される。他の面ファスナー同士の連結も同様の構造により行われ、電気的接続が得られる。
【００７９】
このように、調律器の各機能部を独立した複数のアセンブリとして構成し、これらの複数のアセンブリ間を、導電性を有する面ファスナーで電気的に接続をとった上で連結するようにして、楽器に面ファスナーで固定するようにしたので、調律器の各機能部を個別に交換することができ、ユーザのニーズに応じたシステムの構築を容易に行うことができる。
【００８０】
[第１０実施形態]
次に本発明の第１０実施形態に係る調律器の取り付け装置の構成を図２２に示す。同図において、本発明の第１０実施形態に係る調律器の取り付け装置では、調律器は、無線通信機能を有する表示部４００を外部に有している。
調律器を構成する表示部を除く各機能部、例えば、通信部３５０、処理部３５１及び電源部３５２を独立した複数のアセンブリとして構成する。
【００８１】
これらの複数のアセンブリ３５０、３５１、３５２のうちアセンブリ３５０は無線通信機能を有し、かつこれらの複数のアセンブリ３５０、３５１、３５２間を、導電性を有する面ファスナー３１０、３２０、３３０で電気的に接続をとった上で連結し、該連結した状態で楽器にこれらの面ファスナーで固定する。
通信部３５０は、無線通信により外部の表示部（据置きタイプ）４００、あるいは腕時計タイプの無線通信機能を有する表示部５００に楽器の調律状態を示すデータを送信する機能を有する。
【００８２】
上記表示部４００、５００は、通信部３５０より楽器の調律状態を示すデータを受信し、楽器の調律状態を表示する。
これにより、外部に置かれた無線通信機能を有する表示手段に楽器の調律状態を表示することができる。
【図面の簡単な説明】
【００８３】
【図１】楽器の一部に面ファスナーを、巻き締めして固定した状態を示す説明図。
【図２】本発明の第１実施形態に係る調律器の取り付け装置の構成を示す図。
【図３】本発明の第２実施形態に係る調律器の取り付け装置の構成を示す図。
【図４】本発明の第３実施形態に係る調律器の取り付け装置の構成を示す図。
【図５】図４に示した本発明の第３実施形態に係る調律器の取り付け装置における調律器本体の背面の構造を示す図。
【図６】本発明の第３実施形態に係る調律器の取り付け装置の調律時における状態を示す図。
【図７】本発明の第３実施形態に係る調律器の取り付け装置の収納時における状態を示す図。
【図８】本発明の第３実施形態に係る調律器の取り付け装置の変形例を示す図。
【図９】本発明の第４実施形態に係る調律器の取り付け装置の構成を示す図。
【図１０】図９に示した本発明の第４実施形態に係る調律器の取り付け装置における調律器本体の背面の構造を示す図。
【図１１】本発明の第４実施形態に係る調律器の取り付け装置の調律時における状態を示す図。
【図１２】本発明の第４実施形態に係る調律器の取り付け装置の収納時における状態を示す図。
【図１３】本発明の第５実施形態に係る調律器の取り付け装置の構成を示す図。
【図１４】本発明の第６実施形態に係る調律器の取り付け装置の構成を示す図。
【図１５】本発明の第７実施形態に係る調律器の取り付け装置の構成を示す図。
【図１６】本発明の第７実施形態に係る調律器の取り付け装置の調律時における状態を示す図。
【図１７】本発明の第７実施形態に係る調律器の取り付け装置の収納時における状態を示す図。
【図１８】本発明の第４実施形態に係る調律器の取り付け装置の変形例の調律時における状態を示す図。
【図１９】本発明の第４実施形態に係る調律器の取り付け装置の変形例の収納時における状態を示す図。
【図２０】本発明の第８実施形態に係る調律器の取り付け装置の構成を示す図。
【図２１】本発明の第９実施形態に係る調律器の取り付け装置の構成を示す図。
【図２２】本発明の第１０実施形態に係る調律器の取り付け装置の構成を示す図。
【図２３】アセンブリと面ファスナーとの結合部の構造の一例を示す断面図及び平面図。
【図２４】面ファスナー同士の結合部の構造の一例を示す断面図及び平面図。
【図２５】クリップ式の調律器におけるクリップで楽器の一部を把持した状態の一例を示す説明図。
【図２６】クリップ式の調律器におけるクリップで楽器の一部を把持した状態の他の例を示す説明図。
【図２７】調律器本体が関節機構を含む結合部を介してクリップに結合されるように構成された調律器の構成を模式的に示す説明図。
【図２８】楽器から発生した振動がクリップを介して調律器本体に内蔵されている振動センサに振動が伝播される様子を示す説明図。
【符号の説明】
【００８４】
１．１Ａ…楽器の一部、２、２Ａ、２Ｂ、２１０、２２０、２３０、３１０、３２０、３３０…面ファスナー、１０…調律器本体、２０、２１、２２…振動センサ、３０…緩衝材、４０、６０、７０、８０、９１…取り付けベース部、４１、６３、７２、８３、９３…構造体、２００…表示部、２０１、３５１…処理部、２０２、３５２…電源部、３５０…通信部、４００、５００…表示部
【図１】
0005279289.tif 000002
【図２】
0005279289.tif 000003
【図３】
0005279289.tif 000004
【図４】
0005279289.tif 000005
【図５】
0005279289.tif 000006
【図６】
0005279289.tif 000007
【図７】
0005279289.tif 000008
【図８】
0005279289.tif 000009
【図９】
0005279289.tif 000010
【図１０】
0005279289.tif 000011
【図１１】
0005279289.tif 000012
【図１２】
0005279289.tif 000013
【図１３】
0005279289.tif 000014
【図１４】
0005279289.tif 000015
【図１５】
0005279289.tif 000016
【図１６】
0005279289.tif 000017
【図１７】
0005279289.tif 000018
【図１８】
0005279289.tif 000019
【図１９】
0005279289.tif 000020
【図２０】
0005279289.tif 000021
【図２１】
0005279289.tif 000022
【図２２】
0005279289.tif 000023
【図２３】
0005279289.tif 000024
【図２４】
0005279289.tif 000025
【図２５】
0005279289.tif 000026
【図２６】
0005279289.tif 000027
【図２７】
0005279289.tif 000028
【図２８】
0005279289.tif 000029